(57)【要約】 【課題】バックライトの光量の検出感度を高めることができるバックライト用光量検出器を提供する。【解決手段】バックライト１の反射板５には複数の孔５１が設けられており、複数の孔５１の後方には光センサ６が設けられている。この光センサ６は、複数の孔５１とともにバックライト用光量検出器を構成している。そしてこの光センサ６の受光面６１は、複数の孔５１へ向けて配置されており、導光板３から出射されて複数の孔５１から漏出した光源の光をまとめて受けるように形成されている。そして光センサ６はこの受光面６１で受けた光源の光から光量を検出するように構成されている。【選択図】図２
2006178431.tif 000002
【特許請求の範囲】
【請求項１】
端面側に光源が設けられて背面側に反射板が設けられた導光板から出射される前記光源の光量を検出するバックライト用光量検出器において、
前記反射板に設けられた孔と、
前記反射板の後方に設けられ、前記孔から漏出した前記光源の光量を検出する光センサとを備え、
この光センサは、前記孔から漏出した前記光源の光を受ける受光面が、前記孔へ向けて配置されたことを特徴とするバックライト用光量検出器。
【請求項２】
前記孔は、前記反射板に散在して複数設けられ、前記光センサは、これら複数の孔に対応するように前記反射板の後方に散在して複数設けられたことを特徴とする請求項１記載のバックライト用光量検出器。
【請求項３】
前記孔の最大内径は、０．１ｍｍ〜１０ｍｍであることを特徴とする請求項１記載のバックライト用光量検出器。
【請求項４】
前記孔の断面形状は、菱形、平行四辺形、円形、三角形、楕円形、ダイヤモンド形、長方形のいずれかであることを特徴とする請求項１記載のバックライト用光量検出器。
【請求項５】
前記孔内に透光材を設け、この透光材は前記孔を塞ぐように形成されたことを特徴とする請求項１記載のバックライト用光量検出器。
【請求項６】
前記孔は、前記反射板に複数設けられ、前記光センサは、これら複数の孔から漏出した前記光源の光量をまとめて検出するように単独で形成されたことを特徴とする請求項１記載のバックライト用光量検出器。
【請求項７】
前記孔は、前記導光板の中心線に沿って前記反射板に複数設けられ、前記光センサは、各孔の後方に設けられたことを特徴とする請求項１記載のバックライト用光量検出器。
【発明の詳細な説明】
【技術分野】
【０００１】
本発明は、光センサを用いて、液晶ディスプレイ等のフラットパネルディスプレイに設けられたバックライトの光量を検出するバックライト用光量検出器に関する。
【背景技術】
【０００２】
従来からフラットパネルディスプレイ技術は電子産業に広く用いられており、例えば、ノート型パソコン、デスクトップ型パソコン用ディスプレイ、テレビ、デジタルカメラ、ＤＶＤプレーヤー、ＰＤＡ、携帯電話、携帯ゲーム、カーナビシステム等の電子製品に用いられている。また、フラットパネルディスプレイ技術においては、バックライトの輝度に対する要求が高まっている。
【０００３】
図８は従来の液晶ディスプレイ用バックライト１０１を示す模式図である。このバックライト１０１は、バックライト本体１０２と、バックライト本体１０２に設けられてバックライト本体１０２の駆動を制御する駆動制御部１０３とから構成されている。
【０００４】
またバックライト本体１０２は、導光板１２１と、導光板１２１の下端面１２１ａ側に設けられた光源１２２と、導光板１２１の背面側に設けられた反射板１２３とを備えている。
【０００５】
導光板１２１は端面から入れた光を均一に面発光させるものであり、下端面１２１ａが光源１２２の光が入射される入光面を構成し、前面（図示せず）が下端面１２１ａから入射された光源１２２の光を出射する出光面を構成している。一方、光源１２２は、複数の三色（赤色、緑色、青色）の発光ダイオード１２２ａから成り、三色の光が混合されて白色光が発するように構成されている。また反射板１２３は、導光板１２１の下端面１２１ａから内部へ入射された光源１２２の光を前面へ向けて反射させるように構成されている。
【０００６】
一方、駆動制御部１０３は導光板１２１の上端面１２１ｂ側に設けられており、複数の光センサ１３１と、コントローラ１３２と、ドライバ１３３とを備えている。
【０００７】
複数の光センサ１３１は出力側がコントローラ１３２の入力側に接続されている。またこれらの光センサ１３１は、導光板１２１の前面から出射された光源１２２の光を受ける受光面１３１ａを備えており、受光面１３１ａで受けた光源１２２の光から光量を検出して、コントローラ１３２へ出力するように構成されている。
【０００８】
一方、コントローラ１３２は、出力側がドライバ１３３の入力側に接続されている。そしてコントローラ１３２は、光センサ１３１から入力された検出光量に基づいて、光源１２２から発せられる白色光の輝度が均一になるように三色の発光量を制御する制御信号を演算し、ドライバ１３３へ出力するように構成されている。
【０００９】
またドライバ１３３は、赤色ドライバ１３３ａ、青色ドライバ１３３ｂ、緑色ドライバ１３３ｃから成り、各ドライバ１３３ａ、１３３ｂ、１３３ｃは各光源１２２の入力側に接続されている。そして各ドライバ１３３ａ、１３３ｂ、１３３ｃは、コントローラ１３２からフィードバックされた各色の制御信号に基づいて、三色の発光ダイオード１２２ａの発光量を制御するように構成されている。
【特許文献１】特開２００５−２０８４８６号公報
【発明の開示】
【発明が解決しようとする課題】
【００１０】
しかしながら、複数の光センサ１３１は導光板１２１の上端面１２１ｂ側に設けられていることから、受光面１３１ａが導光板１２１に対して垂直に配置された状態になっている。このため、これらの光センサ１３３は、導光板１２１から出射された光源１２２の光量を容易に検出することができず、検出感度が良くない。
【００１１】
したがって、これらの光センサ１３１はコントローラ１３２に正確な光量を送ることができないので、コントローラ１３２はドライバ１３３に正確な制御信号を送ることができず、光源１２２から発せられる白色光の輝度を均一にすることが困難となっていた。
【００１２】
本発明は、かかる従来の課題に鑑みてなされたものであり、バックライトの光量の検出感度を高めることができるバックライト用光量検出器を提供することを目的とする。
【課題を解決するための手段】
【００１３】
前記課題を解決するために本発明のバックライト用光量検出器においては、端面側に光源が設けられて背面側に反射板が設けられた導光板から出射される前記光源の光量を検出するバックライト用光量検出器において、前記反射板に設けられた孔と、前記反射板の後方に設けられ、前記孔から漏出した前記光源の光量を検出する光センサとを備え、この光センサは、前記孔から漏出した前記光源の光を受ける受光面が、前記孔へ向けて配置されたことを特徴としている。
【００１４】
また本発明のバックライト用光量検出器においては、前記孔は、前記反射板に散在して複数設けられ、前記光センサは、これら複数の孔に対応するように前記反射板の後方に散在して複数設けられたことを特徴としている。
【００１５】
また本発明のバックライト用光量検出器においては、前記孔の最大内径は、０．１ｍｍ〜１０ｍｍであることが好ましい。
【００１６】
また本発明のバックライト用光量検出器においては、前記孔の断面形状は、菱形、平行四辺形、円形、三角形、楕円形、ダイヤモンド形、長方形のいずれかであることを特徴としている。
【００１７】
また本発明のバックライト用光量検出器においては、前記孔内に透光材を設け、この透光材は前記孔を塞ぐように形成されたことを特徴としている。
【００１８】
また本発明のバックライト用光量検出器においては、前記孔は、前記反射板に複数設けられ、前記光センサは、これら複数の孔から漏出した前記光源の光量をまとめて検出するように単独で形成されたことを特徴としている。
【００１９】
また本発明のバックライト用光量検出器においては、前記孔は、前記導光板の中心線に沿って前記反射板に複数設けられ、前記光センサは、各孔の後方に設けられたことを特徴としている。
【００２０】
したがって要約すると、本発明の目的はフラットパネルディスプレイの導光板から出射された光量をより高い感度で検出できるバックライト用光量検出器を提供することにある。この光量検出器は反射板に設けられた少なくとも一つの孔と、反射板を介して導光板の後方に設けられた光センサとを備えている。これにより導光板から出射された光は孔から漏出し、光センサによって光量が検出される。また光センサは、反射板を介して導光板の背面に平行して一つまたは複数の位置に設けても良い。本発明は、従来と光センサの設置位置を変えることで高い検出感度を得ることができる。
【発明の効果】
【００２１】
本発明のバックライト用光量検出器においては、光センサの受光面を、反射板に設けられた孔を介して導光板と対向させるようにしたため、導光板から出射される光源の光量を容易に検出できる。よって、バックライトの光量の検出感度を高めることができる。
【発明を実施するための最良の形態】
【００２２】
本発明についての目的、特徴、長所が一層明確に理解されるよう、以下に実施の形態を例示し、図面を参照にしながら、詳細に説明する。
【００２３】
第１の実施の形態：
図１は本発明の第１の実施の形態を示す液晶ディスプレイ用バックライト１の模式横断面図である。なお本実施の形態では従来と同じ部分には同じ符号を付し、異なる部分を中心にして説明する。
【００２４】
このバックライト１は、バックライト本体２と、バックライト本体２に設けられてバックライト本体２の駆動を制御する駆動制御部とから構成されている。
【００２５】
またバックライト本体２は、導光板３と、導光板３の左右端面３１、３１側に設けられた光源ユニット４、４と、導光板３の背面３２側に設けられた反射板５とを備えている。さらに光源ユニット４は、光源１２２と、この光源１２２を保持するホルダー４１とを備えている。このホルダー４１は断面コ字状に形成されており、内側に光源１２２を保持した状態で開口端を導光板３の左右端面３１、３１に組み付けて設けられている。
【００２６】
一方、導光板３は、左右端面３１、３１が光源１２２の光が入射される入光面を構成し、前面３３が左右端面３１、３１から入射された光源１２２の光を出射する出光面を構成している。
【００２７】
また反射板５は、導光板３の左右端面３１、３１から内部へ入射された光源１２２の光を前面３３へ向けて反射させるように構成されており、光源１２２の光を反射する高反射性の材料、例えば、高分子材料、金属材料（アルミニウム、スチール等）、またはこれらを複合した材料から形成されている。
【００２８】
一方、前記駆動制御部は、反射板５の後方に設けられた光センサ６と、この光センサ６に接続されたコントローラ１３２（図８参照）と、このコントローラ１３２と光源１２２とに接続されたドライバ１３３（図８参照）とを備えている。
【００２９】
図２は図１の要部拡大図である。本実施の形態では反射板５に複数の孔５１が設けられている。各孔５１内には透明または半透明の透光材５２が設けられており、この透光材５２は孔５１を塞ぐように形成されている。
【００３０】
さらに複数の孔５１の後方には、光センサ６が複数の孔５１に近接するように導光板３および反射板５と組み合わせて設けられている。この光センサ６は単独で形成され、複数の孔５１とともに本実施の形態のバックライト用光量検出器を構成している。
【００３１】
またこの光センサ６は受光面６１を備えている。この受光面６１は、複数の孔５１へ向けて配置されており、導光板３から出射されて複数の孔５１から漏出した光源１２２（図１参照）の光をまとめて受けるように形成されている。そして光センサ６はこの受光面６１で受けた光源１２２の光から光量を検出して、コントローラ１３２（図８参照）へ出力するように構成されている。
【００３２】
かかる構成においては、光センサ６の受光面６１が、反射板５の複数の孔５１を介して導光板３と対向するようにしたため、従来に比べて導光板３から出射される光源１２２の光量を容易に検出することができる。よって、本実施の形態のバックライト用光量検出器においては、バックライト１の光量の検出感度を高めることができる。
【００３３】
またこの結果、光センサ６はコントローラ１３２に正確な光量を送ることが可能となるので、コントローラ１３２はドライバ１３３に正確な制御信号を送ることができ、光源１２２から発せられる白色光の輝度を常に均一にすることができる。
【００３４】
第２の実施の形態：
図３は、本発明の第２の実施の形態を示す液晶ディスプレイ用バックライト２０１の要部模式横断面図である。なお本実施の形態では第１の実施の形態や従来と同じ部分には同じ符号を付し、異なる部分を中心にして説明する。
【００３５】
このバックライト２０１は、バックライト本体２０２と、バックライト本体２０２に設けられてバックライト本体２０２の駆動を制御する駆動制御部とから構成されている。
【００３６】
またバックライト本体２０２は、導光板３と、導光板３の左右端面３１、３１側に設けられた光源ユニット４、４（図１参照）と、導光板３の背面３２側に設けられた反射板２０５とを備えている。この反射板２０５は、導光板３の左右端面３１、３１から内部へ入射された光源１２２の光を前面３３へ向けて反射させるように構成されており、第１の実施の形態の反射板５と同様の材料から形成されている。
【００３７】
一方、前記駆動制御部は、反射板２０５の後方に設けられた複数の光センサ２０６と、複数の光センサ２０６に接続されたコントローラ１３２（図８参照）と、このコントローラ１３２と光源１２２（図１参照）とに接続されたドライバ１３３（図８参照）とを備えている。
【００３８】
そして本実施の形態では、反射板２０５に複数の孔２５１が設けられている。各孔２５１内には透明または半透明の透光材２５２が設けられており、この透光材２５２は孔２５１を塞ぐように形成されている。
【００３９】
さらに各孔２５１の後方には、一組の光センサ２０６、２０６が、導光板３および反射板２０５と組み合わせられて設けられており、これら複数の光センサ２０６と複数の孔２５１とにより本実施の形態のバックライト用光量検出器が構成されている。
【００４０】
また各光センサ２０６は受光面２６１を備えている。この受光面２６１は、各孔２５１へ向けて配置されており、導光板３から出射されて各孔２５１から漏出した光源１２２（図１参照）の光を受けるように形成されている。そしてこれらの光センサ２０６は、各受光面２６１で受けた光源１２２の光から光量を検出して、コントローラ１３２（図８参照）へ出力するように構成されている。
【００４１】
かかる構成においては、光センサ２０６の受光面２６１が、反射板２０５の複数の孔２５１を介して導光板３と対向するようにしたため、従来に比べて導光板３から出射される光源１２２の光量を容易に検出することができる。よって、本実施の形態のバックライト用光量検出器においては、バックライト２０１の光量の検出感度を高めることができる。またこの結果、光センサ２０６はコントローラ１３２に正確な光量を送ることが可能となるので、光源１２２から発せられる白色光の輝度を常に均一にすることができる。
【００４２】
第３の実施の形態：
図４は、本発明の第３の実施の形態を示す液晶ディスプレイ用バックライト３０１の模式図である。なお本実施の形態では第１の実施の形態や従来と同じ部分には同じ符号を付し、異なる部分を中心にして説明する。
【００４３】
このバックライト３０１は、バックライト本体３０２と、バックライト本体３０２に設けられてバックライト本体３０２の駆動を制御する駆動制御部３０３とから構成されている。
【００４４】
またバックライト本体３０２は、導光板３と、導光板３の左右端面３１、３１側に設けられた光源１２２と、導光板３の背面３２側に設けられた反射板３０５とを備えている。この反射板３０５は、導光板３の左右端面３１、３１から内部へ入射された光源１２２の光を前面３３（図１参照）へ向けて反射させるように構成されており、第１の実施の形態の反射板５と同様の材料から形成されている。
【００４５】
一方、前記駆動制御部は、反射板３０５の後方に設けられた複数の光センサ３０６と、複数の光センサ３０６に接続されたコントローラ１３２と、このコントローラ１３２と光源１２２とに接続されたドライバ１３３とを備えている。
【００４６】
そして本実施の形態では反射板３０５に、導光板３の中心を通る縦方向の中心線３ａ（二点鎖線で図示）に沿って三つの孔３５１が設けられている。各孔３５１内には透明または半透明の透光材３５２が設けられており、この透光材３５２は孔３５１を塞ぐように形成されている。
【００４７】
さらに各孔３５１の後方には、光センサ３０６がそれぞれ設けられており、これら三つの光センサ３０６と三つの孔３５１とにより本実施の形態のバックライト用光量検出器が構成されている。
【００４８】
また各光センサ３０６は受光面３６１を備えている。この受光面３６１は各孔３５１へ向けて配置されており、導光板３から出射されて各孔３５１から漏出した光源１２２の光を受けるように形成されている。そしてこれらの光センサ３０６は、受光面３６１で受けた光源１２２の光から光量を検出して、コントローラ１３２（図８参照）へ出力するように構成されている。
【００４９】
かかる構成においては、三つの光センサ３０６の受光面３６１が、それぞれ反射板３０５の三つの孔３５１を介して導光板３と対向するようにしたため、従来に比べて導光板３から出射される光源１２２の光量を容易に検出することができる。よって、本実施の形態のバックライト用光量検出器においては、バックライト３０１の光量の検出感度を高めることができる。またこの結果、光センサ３０６はコントローラ１３２に正確な光量を送ることが可能となるので、光源１２２から発せられる白色光の輝度を常に均一にすることができる。
【００５０】
第４の実施の形態：
図５は、本発明の第４の実施の形態を示す液晶ディスプレイ用バックライト４０１の模式図である。なお本実施の形態では従来と同じ部分には同じ符号を付し、異なる部分を中心にして説明する。
【００５１】
このバックライト４０１は、バックライト本体４０２と、バックライト本体４０２に設けられてバックライト本体４０２の駆動を制御する駆動制御部４１０とから構成されている。
【００５２】
またバックライト本体４０２は、導光板４０３と、導光板４０３の上下端面４３１、４３１側に設けられた光源１２２と、導光板４０３の背面４３２側に設けられた反射板４０５とを備えている。
【００５３】
導光板４０３は、上下端面４３１、４３１が光源１２２の光が入射される入光面を構成しており、前面（図示せず）が上下端面４３１、４３１から入射された光源１２２の光を出射する出光面を構成している。
【００５４】
一方、反射板４０５は、導光板３の上下端面４３１、４３１から内部へ入射された光源１２２の光を前面へ向けて反射させるように構成されており、第１の実施の形態の反射板５と同様の材料から形成されている。
【００５５】
一方、前記駆動制御部は、反射板４０５の後方に設けられた複数の光センサ４０６と、複数の光センサ４０６に接続されたコントローラ１３２と、このコントローラ１３２と光源１２２とに接続されたドライバ１３３とを備えている。
【００５６】
そして本実施の形態では、反射板４０５に、導光板４０３の中心を通る横方向の中心線４０３ａ（二点鎖線で図示）に沿って三つの孔４５１が設けられている。各孔４５１内には透明または半透明の透光材４５２が設けられており、この透光材４５２は孔４５１を塞ぐように形成されている。
【００５７】
さらに各孔４５１の後方には、それぞれ光センサ４０６が設けられており、三つの光センサ４０６と三つの孔４５１とにより本実施の形態のバックライト用光量検出器が構成されている。
【００５８】
また各光センサ４０６は受光面４６１を備えている。この受光面４６１は各孔４５１へ向けて配置されており、導光板４０３から出射されて各孔４５１から漏出した光源１２２の光を受けるように形成されている。そしてこれらの光センサ４０６は、受光面４６１で受けた光源１２２の光から光量を検出して、コントローラ１３２（図８参照）へ出力するように構成されている。
【００５９】
かかる構成においては、三つの光センサ４０６の受光面４６１が、それぞれ反射板４０５の三つの孔４５１を介して導光板４０３と対向するようにしたため、従来に比べて導光板４０３から出射される光源１２２の光量を容易に検出することができる。よって、本実施の形態のバックライト用光量検出器においては、バックライト４０１の光量の検出感度を高めることができる。またこの結果、光センサ４０６はコントローラ１３２に正確な光量を提供することが可能となるので、光源１２２から発せられる白色光の輝度を常に均一にすることができる。
【００６０】
なお各実施の形態で説明した孔の断面形状は、図６に示すように菱形（ａ）、平行四辺形（ｂ）、円形（ｃ）、三角形（ｄ）、楕円形（ｅ）、ダイヤモンド形（ｆ）、長方形（ｇ）のいずれかであるのが好ましい。しかし、孔の断面形状はこれらの断面形状に限定されなくてもよく、その他の形状または前述した形状を混合したものでも良い。また孔の大きさはその断面形状によるが、最大内径Ｄ（図６参照）が０．１ｍｍ〜１０ｍｍであるのが好ましく、さらに少なくとも１ｍｍであるのが好ましい。
【００６１】
また光源１２２は、実施の形態で説明した位置（導光板の左右端側、上下端側）の他に、従来のように導光板の一端側（図８参照）や、図７に示すように導光板５０３の全端面５３１にわたって配置しても良い。この場合に導光板５０３は、全端面５３１が入光面として構成されたものを使用する。また光センサは、複数の孔が反射板に散在して設けられた場合には、これら複数の孔に対応するように反射板の後方に散在して複数設けても良い。
【００６２】
以上、本発明の好適な実施の形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００６３】
以上説明したように本発明のバックライト用光量検出器においては、バックライトの光量の検出感度を高めることができるので、この技術分野で十分に利用することができる。
【図面の簡単な説明】
【００６４】
【図１】本発明の第１の実施の形態を示す液晶ディスプレイ用バックライトの模式横断面図である。
【図２】図１の要部拡大図である。
【図３】本発明の第２の実施の形態を示す液晶ディスプレイ用バックライトの要部模式横断面図である。
【図４】本発明の第３の実施の形態を示す液晶ディスプレイ用バックライトの模式図である。
【図５】本発明の第４の実施の形態を示す液晶ディスプレイ用バックライトの模式図である。
【図６】孔の各種断面形状を示す図である。
【図７】光源のその他の配置を示す図である。
【図８】従来の液晶ディスプレイ用バックライトの模式図である。
【符号の説明】
【００６５】
３    導光板
３ａ    縦方向の中心線
５    反射板
６    光センサ
３１    左右端面
３２    背面
３３    前面
５１    孔
５２    透光材
６１    受光面
１２２    光源
２０５    反射板
２０６    光センサ
２５１    孔
２５２    透光材
２６１    受光面
３０５    反射板
３０６    光センサ
３５１    孔
３５２    透光材
３６１    受光面
４０３    導光板
４０３ａ    横方向の中心線
４０５    反射板
４０６    光センサ
４３１    上下端面
４３２    背面
４５１    孔
４５２    透光材
４６１    受光面
５０３    導光板
５３１    全端面
Ｄ      最大内径
【図１】
2006178431.tif 000003
【図２】
2006178431.tif 000004
【図３】
2006178431.tif 000005
【図４】
2006178431.tif 000006
【図５】
2006178431.tif 000007
【図６】
2006178431.tif 000008
【図７】
2006178431.tif 000009
【図８】
2006178431.tif 000010